【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
加入者ユーザ装置の特定のタイプにそれぞれサービスを提供するように専用化された複数のネットワークのそれぞれにサービスを提供する移動管理エンティティ（ＭＭＥ：Mobility Management Entity）により実行される方法であって、
加入者ユーザ装置の特定のタイプにサービスを提供するように専用化された前記複数のネットワークのそれぞれ毎に、それぞれの重み係数を受信することと、
前記ＭＭＥがサポートする加入者ユーザ装置の特定のタイプそれぞれの重み係数を含むメッセージを、前記ＭＭＥに関連する基地局に送信することと、を含む方法。
【請求項２】
前記ＭＭＥがサポートする加入者ユーザ装置の特定のタイプそれぞれの前記重み係数は、コネクション確立時に、前記ＭＭＥにより前記基地局に提供される、請求項１に記載の方法。
【請求項３】
前記ＭＭＥがサポートする加入者ユーザ装置の特定のタイプそれぞれの前記重み係数は、Ｓ１  ｓｅｔｕｐ手順の一部として、前記ＭＭＥにより前記基地局に提供される、請求項２に記載の方法。
【請求項４】
前記ＭＭＥがサポートする加入者ユーザ装置の特定のタイプそれぞれの前記重み係数は、ＭＭＥ  ｃｏｎｆｉｇｕｒａｔｉｏｎ  ｕｐｄａｔｅ手順の一部として、前記ＭＭＥにより前記基地局に提供される、請求項１に記載の方法。
【請求項５】
前記ＭＭＥがサポートする加入者ユーザ装置の特定のタイプそれぞれの前記重み係数は、ＭＭＥ  ｃｏｎｆｉｇｕｒａｔｉｏｎ  ｕｐｄａｔｅメッセージ内で、前記ＭＭＥにより前記基地局に提供される、請求項４に記載の方法。
【請求項６】
それぞれの重み係数は、相対的なＭＭＥ容量である、請求項１から５のいずれか１項に記載の方法。
【請求項７】
前記ＭＭＥは、ＭＭＥプールの一部を形成し、それぞれの重み係数は、前記ＭＭＥプール内の他のＭＭＥの容量に対する前記ＭＭＥの相対的な容量を示す、請求項６に記載の方法。
【請求項８】
加入者ユーザ装置の特定のタイプにそれぞれサービスを提供するように専用化された複数のネットワークのそれぞれにサービスを提供する移動管理エンティティ（ＭＭＥ：Mobility Management Entity）であって、
加入者ユーザ装置の特定のタイプにサービスを提供するように専用化されたネットワークのそれぞれ毎に、それぞれの重み係数を受信するように構成されたトランシーバ回路を備え、
前記トランシーバ回路はさらに、前記ＭＭＥがサポートする加入者ユーザ装置の特定のタイプそれぞれの重み係数を含むメッセージを、前記ＭＭＥに関連する基地局に送信するように構成された、ＭＭＥ。
【請求項９】
加入者ユーザ装置（ＵＥ：User Equipment）の複数の特定のタイプ及び複数の移動管理エンティティ（ＭＭＥ：Mobility Management Entity）と無線通信するように構成された基地局により実行される方法であって、
それぞれのＭＭＥは、複数のネットワークのそれぞれにサービスを提供するように構成され、定められたＭＭＥによりサービスを受けるそれぞれのネットワークは、加入者ユーザ装置の特定のタイプにそれぞれサービスを提供するように専用化されており、
少なくとも１つのＭＭＥから、前記少なくとも１つのＭＭＥによりサービスを受ける加入者ユーザ装置の特定のタイプにサービスを提供するように専用化された前記複数のネットワークのそれぞれ毎のそれぞれの重み係数を受信することと、
前記少なくとも１つのＭＭＥから受信された前記重み係数に基づいて、ＵＥを管理する少なくとも１つのＭＭＥを選択することと、を含む方法。
【請求項１０】
加入者ユーザ装置の特定のタイプにそれぞれサービスを提供するように専用化された定められたネットワークにサービスを提供するＭＭＥ間の負荷平衡化の目的のために、前記選択により、ＵＥを管理する、請求項９に記載の方法。
【請求項１１】
加入者ユーザ装置（ＵＥ：User Equipment）の複数の特定のタイプ及び複数の移動管理エンティティ（ＭＭＥ：Mobility Management Entity）と無線通信するように構成された基地局であって、
それぞれのＭＭＥは、加入者ユーザ装置の特定のタイプにそれぞれサービスを提供するように専用化された複数のネットワークのそれぞれにサービスを提供するように構成されており、
少なくとも１つのＭＭＥから、前記少なくとも１つのＭＭＥによりサービスを受ける加入者ユーザ装置の特定のタイプにサービスを提供するように専用化された前記複数のネットワークのそれぞれ毎のそれぞれの重み係数を受信するように構成されたトランシーバ回路と、
前記少なくとも１つのＭＭＥから受信された前記重み係数に基づいて、ＵＥを管理する少なくとも１つのＭＭＥを選択するように構成されたプロセッサと、を備える基地局。
【請求項１２】
加入者ユーザ装置の特定のタイプにそれぞれサービスを提供するように専用化された複数のネットワークのそれぞれにサービスを提供する移動管理エンティティ（ＭＭＥ：Mobility Management Entity）を制御するオペレータノードにより実行される方法であって、
加入者ユーザ装置の特定のタイプにサービスを提供するように専用化された前記複数のネットワークのそれぞれ毎のＭＭＥに、それぞれの重み係数を供給すること、を含む方法。
【請求項１３】
加入者ユーザ装置の特定のタイプにそれぞれサービスを提供するように専用化された複数のネットワークのそれぞれにサービスを提供する移動管理エンティティ（ＭＭＥ：Mobility Management Entity）を制御するオペレータノードであって、
加入者ユーザ装置の特定のタイプにサービスを提供するように専用化された前記複数のネットワークのそれぞれ毎のＭＭＥに、それぞれの重み係数を供給するように構成されたトランシーバ回路を備える、オペレータノード。
【請求項１４】
加入者ユーザ装置の特定のタイプにそれぞれサービスを提供するように専用化された複数のネットワークのそれぞれにサービスを提供する移動管理エンティティ（ＭＭＥ：Mobility Management Entity）に、
加入者ユーザ装置の特定のタイプにサービスを提供するように専用化された前記複数のネットワークのそれぞれ毎に、それぞれの重み係数を受信する手順と、
前記ＭＭＥがサポートする加入者ユーザ装置の特定のタイプそれぞれの重み係数を含むメッセージを、前記ＭＭＥに関連する基地局に送信する手順と、を実行させるためのプログラム。
【請求項１５】
加入者ユーザ装置（ＵＥ：User Equipment）の複数の特定のタイプ及び複数の移動管理エンティティ（ＭＭＥ：Mobility Management Entity）と無線通信するように構成された基地局であって、それぞれのＭＭＥは、複数のネットワークのそれぞれにサービスを提供するように構成され、定められたＭＭＥによりサービスを受けるそれぞれのネットワークは、加入者ユーザ装置の特定のタイプにそれぞれサービスを提供するように専用化されており、前記基地局に、
少なくとも１つのＭＭＥから、前記少なくとも１つのＭＭＥによりサービスを受ける加入者ユーザ装置の特定のタイプにサービスを提供するように専用化された前記複数のネットワークのそれぞれ毎のそれぞれの重み係数を受信する手順と、
前記少なくとも１つのＭＭＥから受信された前記重み係数に基づいて、ＵＥを管理する少なくとも１つのＭＭＥを選択する手順と、を実行させるためのプログラム。
【手続補正２】
【補正対象書類名】明細書
【補正対象項目名】発明の名称
【補正方法】変更
【補正の内容】
【発明の名称】ＭＭＥ、基地局、オペレータノード、方法、プログラム